(57)【要約】【課題】従来の加熱装置では、表示や音声ガイドを使って、複雑な操作手順や加熱状態に関する多くの情報を知らせようとすると、表示が見にくくなったり、コストがかかるなどの課題があった。【解決手段】加熱装置本体１０に設けられた通信手段１０２が送信した通信信号を無線受信する通信手段１１２と、使用者が操作するための入力手段１１１と、あらかじめ加熱装置本体に関する操作手順などの情報を記憶しておく記憶手段１１３と、前記通信手段１１２が受信した信号を復調し出力する制御手段１１０と、前記制御手段１１０の出力に基づいて表示を行う表示手段１１４とを備えた携帯型受信装置１１で、加熱装置本体１０が操作されたタイミングで受信した情報を元に、記憶手段１１３から読み出した操作手順などの情報を表示して、加熱装置の操作性を向上させた。【選択図】図１
2011149606.tif 000002
【特許請求の範囲】
【請求項１】
装置本体に設けられ被加熱物を収納する加熱室と、前記被加熱物を加熱する加熱手段と、加熱条件を入力する本体側入力手段と、入力された加熱条件を含む加熱情報を表示する本体側表示手段と、前記装置本体の状態を管理し前記本体側入力手段により入力された加熱条件や前記装置本体の状態に従って前記加熱手段を制御する本体側制御手段と、前記本体側制御手段が出力する信号を携帯型受信装置に無線で送信する本体側通信手段とを備え、前記本体側通信手段は、操作入力のタイミングで動作や加熱状態に係る情報を前記携帯型受信装置へ送信することを特徴とする加熱装置。
【請求項２】
携帯型受信装置は、受信装置側入力手段と、あらかじめ加熱装置に関する操作手順などの情報を記憶しておく記憶手段と、装置本体からの信号を無線受信する受信装置側通信手段と、前記受信装置側通信手段が受信した信号を復調し出力する受信装置側制御手段と、前記受信装置側制御手段の出力に基づいて表示を行う受信装置側表示手段とを備え、
前記受信装置側制御手段は、前記受信装置側通信手段が受信した信号に含まれる情報に基づいて、前記記憶手段から情報を読み出して前記受信装置側表示手段に表示し、前記装置本体との無線通信が可能であることを特徴とする請求項１に記載の加熱装置。
【請求項３】
本体側音声出力手段を備え、
本体側入力手段の入力によって音声出力を無効にすることができ、本体側通信手段は音声出力が有効かどうかの情報を送信することを特徴とする請求項１に記載の加熱装置。
【請求項４】
携帯型受信装置は、受信装置側音声出力手段を備え、
受信装置側通信手段が受信した情報に基づいて、本体装置の音声出力機能が無効になっているときは、音声出力機能を無効にすることを特徴とする請求項２に記載の加熱装置。
【請求項５】
振動出力手段を有することを特徴とする請求項２または４に記載の加熱装置。
【発明の詳細な説明】
【技術分野】
【０００１】
本発明は、装置本体と無線通信し、装置本体で表示できない情報を表示する携帯型受信装置を備えた加熱装置に関するものである。
【背景技術】
【０００２】
近年、この種の加熱装置は、あらかじめ用意された加熱メニューの中から使用するメニューを決定し、加熱時間や加熱温度を設定するものが多い。設定操作は装置本体のキーやダイヤルなどを介して行い、操作入力の過程や結果は、文字や数値で装置本体の液晶ディスプレイやＬＥＤに表示している。使用者はそれらの表示を見て、入力した結果や操作手順を知ることができる。加熱中に状態が変化したときも表示を確認して状態変化を知ることができる。
【０００３】
また、従来この種の加熱装置は、操作入力時や調理状態が変化するタイミングなどで報知音を鳴らす機能を備えている。使用者はこの報知音を聞いて、入力が確実に行われたことを確認したり、加熱状態が変化したことを知ったりすることができる。また、初心者でも複雑な操作を簡単にできるように、音声出力機能を用いてガイドを行うものもある（例えば、特許文献１参照）。
【０００４】
離れた場所にいる使用者に、調理終了や調理の進行状況を知らせるために、加熱装置本体の情報を小電力無線つき携帯端末に送信する方法がある（例えば、特許文献２参照）。
【先行技術文献】
【特許文献】
【０００５】
【特許文献１】特公昭６０−５６９７７号公報
【特許文献２】特開２００４−１９０８８３号公報
【発明の概要】
【発明が解決しようとする課題】
【０００６】
この種の加熱装置の表示部には、一般にセグメント方式の表示管が用いられることが多いが、ドットマトリクス方式の表示管を用いた加熱装置も存在する。
【０００７】
図４は従来の加熱装置に用いられるセグメント方式の表示管の一例である。セグメント方式の表示管は、あらかじめ決められた表示セグメントを電気的にＯＮしたりＯＦＦしたりすることで表示を実現している。この方式だと、１つの表示をあらかじめ決められた位置にしか表示できず、同じ位置に異なる表示をすることはできない。加熱メニューの種類が多いと全てのメニュー名を表示することはできないので、それぞれの加熱メニューに番号をつけてその数字を表示するのが一般的である。多くの情報を表示するためには、表示部を大きくするか、文字を小さくしなければならず、表示が雑多になり見易さが低下する。
【０００８】
これに対して、ドットマトリクス方式の表示管は、文字や画像を自由に配置して表示ができるが、セグメント方式と比較してコストが高く、コストを抑えようとすると表示部を大きくできなかった。表示部が小さいと、多くの情報を表示するためには、一定時間おきや入力操作ごとに画面を切り替えて表示しなければならず、同時に情報を表示することができなかった。同時に情報を表示すると、やはり表示が細かくなり見易さが低下していた。
【０００９】
また、音声ガイドを用いると、複雑な操作手順を説明することができるが、音声出力のための専用回路や膨大な音声データを記憶するメモリーが必要である。また、操作手順が変わると新たな音声データが必要になり、その変更は容易ではない。
【００１０】
特許文献２に記載のものでは、携帯情報端末に加熱装置本体の情報を送信し、加熱装置近傍で絶えず進行状況に注意を払う手間を省いた。この場合、携帯情報端末は本体から離れた場所にいるときにのみ効力を発揮するものである。
【００１１】
表示や音声でも説明できない内容は、取扱説明書に記載されている。例えば、出力や加熱時間を設定するレンジメニューの場合、加熱対象物や目的によって適切な出力を選ぶのが望ましいが、一般使用者で、その違いを熟知している人は、あまりいない。しかし、出力と加熱対象物の組み合わせによっては、過加熱などが起き、使用者にとって危険な場合もある。取扱説明書を調べれば適切な出力を設定できるが、取扱説明書を調べるのは煩わしいと感じて、調べない使用者は多い。
【００１２】
本発明は、前記従来の課題を解決するもので、加熱装置本体と通信可能な携帯型受信装置に、本体表示部には表示できない情報を表示することで、使い勝手の良い加熱装置を提供することを目的とする。
【課題を解決するための手段】
【００１３】
上記課題を解決するため、本発明における加熱装置は、装置本体に設けられ被加熱物を収納する加熱室と、前記被加熱物を加熱する加熱手段と、加熱条件を入力する本体側入力手段と、入力された加熱条件を含む加熱情報を表示する本体側表示手段と、前記装置本体の状態を管理し前記本体側入力手段により入力された加熱条件や前記装置本体の状態に従って前記加熱手段を制御する本体側制御手段と、前記本体側制御手段が出力する信号を携帯型受信装置に無線で送信する本体側通信手段とを備え、前記本体側通信手段は、操作入力のタイミングで動作や加熱状態に係る情報を前記携帯型受信装置へ送信することを特徴とする。
【００１４】
これによって、使用者は加熱装置本体近傍にいなくても装置本体の状態が変化したタイミングを逃さずにすむだけでなく、本体近傍で操作設定中も受信装置を利用することで、複雑な操作をスムーズに行うことができるようになる。操作しながら次の手順などを確認できるので、取扱説明書を調べる煩わしさもなくなる。
【発明の効果】
【００１５】
本発明によれば、使用者が装置本体から離れた場所にいるだけでなく、近傍にいるときも携帯型受信装置を使用することで、複雑な操作手順や注意事項を取扱説明書で調べることなく理解することが可能となり、加熱装置の利便性が増す。
【図面の簡単な説明】
【００１６】
【図１】本発明の実施の形態１の加熱装置本体と携帯型受信装置の詳細ブロック図
【図２】本発明の実施の形態１の加熱装置本体と携帯型受信装置の外観図
【図３】従来の加熱装置本体のセグメント液晶例を示す図
【図４】本発明の実施の形態１の加熱装置本体操作パネルの要部正面図
【図５】（ａ）本発明の実施の形態１の加熱装置本体の出力設定状態を示す表示例を示す図（ｂ）加熱中状態を示す表示例を示す図（ｃ）加熱終了状態を示す表示例を示す図
【図６】（ａ）本発明の実施の形態１の携帯型受信装置の出力説明状態を示す表示例を示す図（ｂ）操作ガイド状態を示す図（ｃ）加熱中状態を示す図（ｄ）加熱終了状態を示す図
【発明を実施するための形態】
【００１７】
第１の発明は、装置本体に設けられ被加熱物を収納する加熱室と、前記被加熱物を加熱する加熱手段と、加熱条件を入力する本体側入力手段と、入力された加熱条件を含む加熱情報を表示する本体側表示手段と、前記装置本体の状態を管理し前記本体側入力手段により入力された加熱条件や前記装置本体の状態に従って前記加熱手段を制御する本体側制御手段と、前記本体側制御手段が出力する信号を携帯型受信装置に無線で送信する本体側通信手段とを備え、前記本体側通信手段は、操作入力のタイミングで動作や加熱状態に係る情報を前記携帯型受信装置へ送信するものである。
【００１８】
これにより、使用者は加熱装置本体近傍にいなくても装置本体の状態が変化したタイミングを逃さずにすむ。
【００１９】
第２の発明は、第１の発明において特に、携帯型受信装置は、受信装置側入力手段と、あらかじめ加熱装置に関する操作手順などの情報を記憶しておく記憶手段と、装置本体からの信号を無線受信する受信装置側通信手段と、前記受信装置側通信手段が受信した信号を復調し出力する受信装置側制御手段と、前記受信装置側制御手段の出力に基づいて表示を行う受信装置側表示手段とを備え、前記受信装置側制御手段は、前記受信装置側通信手段が受信した信号に含まれる情報に基づいて、前記記憶手段から情報を読み出して前記受信装置側表示手段に表示し、前記装置本体との無線通信を可能にしている。
【００２０】
これにより、装置本体近傍で操作設定中も携帯型受信装置を利用することで、複雑な操作をスムーズに行うことができるようになる。操作しながら、次の手順などを確認できるので、取扱説明書を調べる煩わしさもなくなる。
【００２１】
第３の発明は、第１の発明において、本体側音声出力手段を備え、本体側入力手段の入力によって音声出力を無効にすることができ、本体側通信手段は、音声出力が有効かどうかの情報を送信するものである。
【００２２】
これにより、操作入力した結果や操作手順を耳で聞いて確認することが可能となるが、操作に慣れて逆に煩わしいと感じる人は操作して音声機能を無効にすることを選択できる。
【００２３】
第４の発明は、第２の発明において、携帯型受信装置は、受信装置側音声出力手段を備え、受信装置側通信手段が受信した情報に基づいて、本体装置の音声出力機能が無効になっているときは、音声出力機能を無効にするものである。
【００２４】
これにより、操作入力した結果や操作手順を耳で聞いて確認することが可能となるが、操作に慣れて逆に煩わしいと感じる人は操作して音声機能を無効にすることを選択できる。装置本体で音声機能を無効に設定した場合、受信装置側もその設定と同期させることができるので、受信装置を操作して音声機能を無効にする手間が不要にできる。
【００２５】
第５の発明は、第２または第４の発明において、振動出力手段を有するものである。
【００２６】
これにより、使用者の触覚に対する出力を行うことができる。本体側から加熱状態が変化した情報を受信したとき振動させれば、使用者がたびたび受信装置を確認しなくても、変化したことを知ることができる。
【００２７】
以下、本発明の実施の形態について、図面を参照しながら説明する。なお、この実施の形態によって本発明が限定されるものではない。
【００２８】
（実施の形態１）
図１は本発明の加熱装置の装置本体と携帯型受信装置との詳細ブロック図、図２は本発明の加熱装置の装置本体と携帯型受信装置との外観図である。
【００２９】
図２において、加熱装置本体１０（装置本体）は被加熱物を収納する加熱室２１と、加熱室２１の被加熱物を加熱する加熱手段１０５（図示せず）とを有する。加熱手段には、高周波による加熱手段や、ヒータによる加熱手段があり、その両方を備えていてもよい。そして加熱装置前面に複数のキー２３と、エンコーダ２１と、表示部２２を設けている。携帯型受信装置１１は、複数のキー２５と、表示部２４を有する。
【００３０】
加熱装置本体１０のエンコーダ２１を回すと、入力手段１０１は制御手段１００に入力を行う。その入力に従って制御手段１００は出力値を選択し、その出力値に基づいて表示手段１０３に表示する。また、制御手段１００は現在の状態の信号を通信手段１０２に送り、通信手段１０２は外部にその信号を送信する。
【００３１】
携帯型受信装置１１は、加熱装置本体１０の通信手段１０２が送信した信号を、通信手段１１２によって受信する。制御手段１１０は通信手段１１２が受信した信号に基づいて、記憶手段１１３から情報を読み出し、表示手段１１４に出力する。また、キー２５を押すと、入力手段１１１は、制御手段１１０に入力を行う。その入力に従って、制御手段１１０は、出力値を選択し、その出力値に基づいて、表示手段１１４は、表示部２４に出力表示を行う。
【００３２】
図５に、出力や加熱時間を設定するレンジメニューの場合の加熱装置本体１０の表示例を示し、図６に、携帯型受信装置１１の表示例を示す。
【００３３】
レンジメニューで出力を選択する場合、本体表示部２２に、図５（ａ）のように、出力５０を表示する。このとき、携帯型受信装置の表示部２４に、図６（ａ）のように、出力についての説明を表示すると、使用者が適切な出力を選ぶことができる。加熱時間の目安を表示しても良い。また、図６（ｂ）のように、操作ガイドを表示しても良い。さらに、入力手段１１１の入力によって、複数の表示を切り替えられるようにすることもできる。
【００３４】
加熱を開始すると、加熱時間はカウントダウンし、図５（ｂ）のように残り時間５１を表示する。加熱装置本体１０近傍にいるときは、この残り時間表示５１を見て、加熱が終了するまでの時間を知ることができる。このとき、加熱装置本体１０の通信手段１０２は、携帯型受信装置１１の通信手段１１２に、加熱メニューや残り時間の情報を送信する。
【００３５】
携帯型受信装置１１の制御手段１１０は、受信した信号から、図６（ｃ）のように表示部２４に表示する。加熱装置本体１０近傍にいないときは、図６（ｃ）を見て、加熱が終了するまでの時間を知ることができる。
【００３６】
加熱が終了すると、加熱装置本体１０は音声出力手段１０４により、報知音で加熱終了を報知し、図５（ｃ）のように表示する。このとき、加熱装置本体１０の通信手段１０２は、加熱が終了したことを携帯型受信装置１１の通信手段１１２に送信する。携帯型受信装置１１の制御手段１１０は、受信した情報を図６（ｄ）のように、表示部２４に表示する。
【００３７】
携帯型受信装置１１の出力手段１１５として、例えば、スピーカーなどの音声出力手段を用いることができる。音声出力手段は、携帯型受信装置１１の通信手段１１２が、加熱装置本体１０の通信手段１０２から信号を受信したとき、報知音を出力する。また、受信した情報を音声ガイドに変換して出力する。出力手段１１５として音声出力手段を用いる
ことで、使用者の聴覚に対する出力を行うことができる。
【００３８】
図４は、加熱装置本体１０の操作パネルである。入力手段１０１の中に音声機能入力キー４０を設けてある。また、表示部２２には音声機能表示４１があり、音量や音声機能が有効かどうか、分かるようになっている。音声機能入力キー４０を操作することで、音声出力手段１０４の機能を無効にすることができる。
【００３９】
音声機能が無効になった状態で、通信手段１０２が本体情報を送信する場合、音声機能が無効である信号も、一緒に送る。携帯型受信装置１１の通信手段１１２が、加熱装置本体１０の通信手段１０２から信号を受信したとき、制御手段１１０は、その音声機能情報に基づいて、受信装置の音声出力機能も無効にする。ただし、受信装置側で、加熱装置本体１０の音声機能設定に同期するかどうかを、選択できるようにしても良い。この場合、受信装置の入力手段１１１の入力によって、加熱装置本体１０に同期するかどうかを選択し、同期することが選ばれている場合にのみ、通信手段１１２が受信した本体の音声機能情報に基づいて、受信装置の音声出力機能も無効にする。
【００４０】
さらに、携帯型受信装置１１の出力手段１１５として、例えば、振動モータなどの振動発生手段がある。振動発生手段は、携帯型受信装置１１の通信手段１１２が、加熱装置本体１０の通信手段１０２から信号を受信したとき振動を出力する。受信した情報によって振動パターンを変えれば、情報の内容を区別することができる。振動発生手段を用いることで、使用者の触覚に対する出力を行うことができる。
【産業上の利用可能性】
【００４１】
以上のように、本発明にかかる加熱装置は、使用者が装置本体から離れた場所にいるだけでなく、近傍にいるときも携帯型受信装置を使用することで、複雑な操作手順や注意事項を取扱説明書で調べることなく理解することが可能となり、加熱装置の利便性が増すので、ジューサー、ミキサー等調理装置の用途にも適用できる。
【符号の説明】
【００４２】
１０  加熱装置本体（装置本体）
１１  携帯型受信装置
１００  制御手段
１０１  入力手段
１０２  通信手段
１０３  表示手段
１０４  音声出力手段
１０５  加熱手段
１１０  制御手段
１１１  入力手段
１１２  通信手段
１１３  記憶手段
１１４  表示手段
１１５  出力手段
２０  加熱室
２１  エンコーダ
２２  表示部
２３  キー
２４  表示部
２５  キー
４０  音声機能入力キー
４１  音声機能表示
【図１】
2011149606.tif 000003
【図２】
2011149606.tif 000004
【図３】
2011149606.tif 000005
【図４】
2011149606.tif 000006
【図５】
2011149606.tif 000007
【図６】
2011149606.tif 000008